(57)【特許請求の範囲】
【請求項１】
利用者を被写体とする撮影作業により得られた前記利用者の画像である撮影画像に対して編集情報を入力する編集入力作業を行わせ、さらに、得られた編集済みの前記利用者の画像を前記利用者に提供する写真シール作成装置において、
前記編集入力作業に用いられる画面である編集画面に、色の異なる複数の唇形状のアイコンを、編集対象の前記撮影画像、前記利用者の唇の部分に所定の効果を施すときに操作される複数の効果ボタン、および、前記利用者の唇の部分に施された効果を解除するときに操作される解除ボタンとともに表示させ、前記効果ボタンが操作された場合、複数の前記アイコンを、操作された前記効果ボタンに応じた効果を施して表示させ、前記解除ボタンが操作された場合、複数の前記アイコンを、施した効果を解除して表示させる表示制御手段と、
前記撮影画像における前記利用者の唇の部分を認識する部分認識手段と、
認識された前記利用者の唇の部分の画像である唇画像に対して、選択された前記アイコンの色と同じ色の画像であって、選択された前記アイコンに施されている効果と同じ効果を施した画像になるように画像処理を施し、前記画像処理を施して得られた前記唇画像を、編集対象の前記撮影画像における前記利用者の唇の部分に重畳させる画像生成手段と
を備える写真シール作成装置。
【請求項２】
前記唇画像は、前記利用者の唇全体または唇の一部に係る画像とされる
請求項１に記載の写真シール作成装置。
【請求項３】
前記画像生成手段は、第１の前記効果ボタンが操作された場合、前記唇画像の一部の画素の色を所定の明度を超える色にする第１の処理を施し、第２の前記効果ボタンが操作された場合、前記唇画像に所定の色のドットを付加する第２の処理を施す
請求項１または２に記載の写真シール作成装置。
【請求項４】
前記第１の処理では、
前記唇画像の口角に近い部分を左右の端部とした場合、前記唇画像における左右の端部から中央に向けて徐々に明度が高くなるように色が変化するグラデーションの画像が生成される
請求項３に記載の写真シール作成装置。
【請求項５】
前記第１の処理では、
前記唇画像の口角に近い部分を左右の端部とした場合、前記唇画像における中央の一部の画像をさらに抽出し、
前記唇画像における中央の一部の画像において、唇の輪郭から中央に向けて徐々に明度が高くなるように色が変化するグラデーションの画像が生成される
請求項３に記載の写真シール作成装置。
【請求項６】
前記第２の処理では、
前記ドットの色若しくは前記ドットの色の組み合わせ、または、前記ドットの密度が複数種類設定される
請求項３乃至５のいずれかに記載の写真シール作成装置。
【請求項７】
前記唇画像において、上唇と下唇に、それぞれ異なる画像処理が施される
請求項３に記載の写真シール作成装置。
【請求項８】
前記唇として認識された範囲を変更するための編集を受け付ける変更受付手段をさらに備える
請求項１乃至７のいずれかに記載の写真シール作成装置。
【請求項９】
前記変更受付手段により編集が受け付けられた前記唇の部分に対応する範囲を表す情報を範囲情報として記憶し、
前記部分認識手段が、前記利用者の他の画像の中の唇を認識したとき、前記範囲情報に基づいて前記唇画像を変更する
請求項８に記載の写真シール作成装置。
【請求項１０】
利用者を被写体とする撮影作業により得られた前記利用者の画像である撮影画像に対して編集情報を入力する編集入力作業を行わせ、さらに、得られた編集済みの前記利用者の画像を前記利用者に提供する写真シール作成装置の写真シール作成方法において、
前記編集入力作業に用いられる画面である編集画面に、色の異なる複数の唇形状のアイコンを、編集対象の前記撮影画像、前記利用者の唇の部分に所定の効果を施すときに操作される複数の効果ボタン、および、前記利用者の唇の部分に施された効果を解除するときに操作される解除ボタンとともに表示させ、
前記効果ボタンが操作された場合、複数の前記アイコンを、操作された前記効果ボタンに応じた効果を施して表示させ、
前記解除ボタンが操作された場合、複数の前記アイコンを、施した効果を解除して表示させ、
前記撮影画像における前記利用者の唇の部分を認識し、
認識した前記利用者の唇の部分の画像である唇画像に対して、選択された前記アイコンの色と同じ色の画像であって、選択された前記アイコンに施されている効果と同じ効果を施した画像になるように画像処理を施し、
前記画像処理を施して得られた前記唇画像を、編集対象の前記撮影画像における前記利用者の唇の部分に重畳させる
ステップを含む写真シール作成方法。
【発明の詳細な説明】
【技術分野】
【０００１】
本技術は、写真シール作成装置および方法に関し、特に、多様化する利用者のニーズに応えるような化粧を施すための編集機能を提供することができるようにする写真シール作成装置および方法に関する。
【背景技術】
【０００２】
利用者を撮影し、撮影画像に対して利用者に編集を行わせ、編集後の画像をシール紙に印刷して提供する写真シール機が知られている。このような写真シール機は娯楽（遊戯）施設等に設置される。
【０００３】
写真シール機によって提供される１ゲームの流れは、通常、撮影空間内にいる利用者を被写体として撮影し、利用者を編集空間に移動させ、編集空間内で行われる操作に従って画像を編集し、編集後の画像である編集済み画像をシール紙に印刷して排出するという流れになる。
【０００４】
近年は、ペンやスタンプなどを用いて、撮影画像に対する編集を行うことによって、利用者の顔に化粧を施したような画像を生成することができるようにする写真シール機が提案されている（例えば、特許文献１参照）。
【０００５】
特許文献１の技術では、利用者がメイクパレットからメイクツールを選択してモニタ上で化粧作業を行った時に、各化粧の種類に応じて決定された画像処理方法によって化粧が表現される。
【０００６】
また、撮影画像に画像処理を施して目を大きくしたり、目を大きくした画像を見て嫌なユーザは、目に画像処理を施していない元の画像にすることができたり、目に対して施される画像処理と同様の画像処理を唇に対しても施すことができるようにした写真シール機が提案されている（例えば、特許文献２参照）。
【０００７】
特許文献２の技術では、撮影作業時において、利用者等を被写体とした撮影により得られた撮影画像に対して、被写体の目の部分を縦方向に拡大して強調し、目をパッチリとしたかわいい印象にするための画像処理である目強調処理が行われる。また、撮影画像の中から、利用者により選択された編集対象画像、若しくは、編集画像表示処理部により選択された編集対象画像が編集画像として編集画像表示部に表示される際に、その編集画像の目の部分の強調が必要に応じて除去される。
【０００８】
また、目の強調処理に代えて被写体の唇のつや感を強調する処理が施されることも開示されており、被写体の目を拡大して強調する代わりに、例えば、唇に明るさや彩度を変更したり、赤色を追加したりして所謂「つや感」を出すような処理についても記載されている。
【先行技術文献】
【特許文献】
【０００９】
【特許文献１】特開２０００−６９４０４号公報
【特許文献２】特開２０１０−２２０２１１号公報
【発明の概要】
【発明が解決しようとする課題】
【００１０】
しかしながら、写真シール機が主たる利用者として想定する女子高校生などの間で流行しているファッション雑誌に掲載されているモデルの化粧などと比較した場合、従来の写真シール機の編集機能により提供される化粧を施すような画像処理は、利用者にやや物足りない感を抱かせることが多かった。
【００１１】
例えば、特許文献１の技術の場合、化粧のような編集を行うことが可能であるが、より顔のパーツの部分的な細かな処理方法の記載がない。例えば、上唇と下唇の口紅の濃さを変える化粧、または、部分的に口紅をふき取るようなことは想定もされておらずできなかった。
【００１２】
また、特許文献２の技術では、唇をつや感のある処理をすることは記載されているが、それ以上の詳細な方式は記載されていなかった。
【００１３】
さらに、従来の写真シール機の編集機能により提供される化粧は、主たる利用者の年齢などを考慮し、極端に派手な化粧を行うことはできなかったが、利用者にとっては、現実の世界では敬遠されるような派手な化粧を、ゲームの中でしてみたいという感覚があった。
【００１４】
このように、従来の技術では、多様化する利用者のニーズに応えるような化粧を施すための編集機能を提供することができず、細部にこだわった満足のいく画像を提供できていなかった。また、従来の技術は、主に撮影画像に自然な化粧を施した画像を生成するだけであり、例えば、実際には、することができない派手な化粧の画像を生成することはしなかった。また、細部にわたってより自然な化粧を施すことができなかった。
【００１５】
本発明は、このような状況に鑑みてなされたものであり、多様化する利用者のニーズに応えるような化粧を施すような画像処理を行うための編集機能を提供することができるようにするものである。
【課題を解決するための手段】
【００１６】
本発明の画像処理装置は、利用者を被写体とする撮影作業により得られた前記利用者の画像である撮影画像に対して編集情報を入力する編集入力作業を行わせ、さらに、得られた編集済みの前記利用者の画像を前記利用者に提供する写真シール作成装置において、前記編集入力作業に用いられる画面である編集画面に、色の異なる複数の唇形状のアイコンを、編集対象の前記撮影画像、前記利用者の唇の部分に所定の効果を施すときに操作される複数の効果ボタン、および、前記利用者の唇の部分に施された効果を解除するときに操作される解除ボタンとともに表示させ、前記効果ボタンが操作された場合、複数の前記アイコンを、操作された前記効果ボタンに応じた効果を施して表示させ、前記解除ボタンが操作された場合、複数の前記アイコンを、施した効果を解除して表示させる表示制御手段と、前記撮影画像における前記利用者の唇の部分を認識する部分認識手段と、認識された前記利用者の唇の部分の画像である唇画像に対して、選択された前記アイコンの色と同じ色の画像であって、選択された前記アイコンに施されている効果と同じ効果を施した画像になるように画像処理を施し、前記画像処理を施して得られた前記唇画像を、編集対象の前記撮影画像における前記利用者の唇の部分に重畳させる画像生成手段とを備える。
【００１７】
前記唇画像は、前記利用者の唇全体または唇の一部に係る画像とされるようにすることができる。
【００１８】
前記画像生成手段には、第１の前記効果ボタンが操作された場合、前記唇画像の一部の画素の色を所定の明度を超える色にする第１の処理を施し、第２の前記効果ボタンが操作された場合、前記唇画像に所定の色のドットを付加する第２の処理を施す処理を行わせることができる。
【００１９】
前記第１の処理では、唇画像の口角に近い部分を左右の端部とした場合、前記唇画像における左右の端部から中央に向けて徐々に明度が高くなるように色が変化するグラデーションの画像が生成されるようにすることができる。
【００２０】
前記第１の処理では、唇画像の口角に近い部分を左右の端部とした場合、前記唇画像における中央の一部の画像をさらに抽出し、前記唇画像における中央の一部の画像において、唇の輪郭から中央に向けて徐々に明度が高くなるように色が変化するグラデーションの画像が生成されるようにすることができる。
【００２１】
前記第２の処理では、前記ドットの色若しくは前記ドットの色の組み合わせ、または、前記ドットの密度が複数種類設定されるようにすることができる。
【００２２】
前記唇画像において、上唇と下唇に、それぞれ異なる画像処理が施されるようにすることができる。
【００２４】
前記唇として認識された範囲を変更するための編集を受け付ける変更受付手段をさらに備えるようにすることができる。
【００２５】
前記変更受付手段により編集が受け付けられた前記唇の部分に対応する範囲を表す情報を範囲情報として記憶し、前記部分認識手段が、前記利用者の他の画像の中の唇画像を認識したとき、前記範囲情報に基づいて前記唇画像を変更するようにすることができる。
【００２６】
本発明の写真シール作成方法は、利用者を被写体とする撮影作業により得られた前記利用者の画像である撮影画像に対して編集情報を入力する編集入力作業を行わせ、さらに、得られた編集済みの前記利用者の画像を前記利用者に提供する写真シール作成装置の写真シール作成方法において、前記編集入力作業に用いられる画面である編集画面に、色の異なる複数の唇形状のアイコンを、編集対象の前記撮影画像、前記利用者の唇の部分に所定の効果を施すときに操作される複数の効果ボタン、および、前記利用者の唇の部分に施された効果を解除するときに操作される解除ボタンとともに表示させ、前記効果ボタンが操作された場合、複数の前記アイコンを、操作された前記効果ボタンに応じた効果を施して表示させ、前記解除ボタンが操作された場合、複数の前記アイコンを、施した効果を解除して表示させ、前記撮影画像における前記利用者の唇の部分を認識し、認識した前記利用者の唇の部分の画像である唇画像に対して、選択された前記アイコンの色と同じ色の画像であって、選択された前記アイコンに施されている効果と同じ効果を施した画像になるように画像処理を施し、前記画像処理を施して得られた前記唇画像を、編集対象の前記撮影画像における前記利用者の唇の部分に重畳させるステップを含む。
【００２８】
本発明の一側面においては、編集入力作業に用いられる画面である編集画面に、色の異なる複数の唇形状のアイコンが、編集対象の撮影画像、利用者の唇の部分に所定の効果を施すときに操作される複数の効果ボタン、および、利用者の唇の部分に施された効果を解除するときに操作される解除ボタンとともに表示される。効果ボタンが操作された場合、複数のアイコンが、操作された効果ボタンに応じた効果を施して表示させ、解除ボタンが操作された場合、複数のアイコンを、施した効果を解除して表示させる処理が行われる。また、撮影画像における利用者の唇の部分が認識され、認識された利用者の唇の部分の画像である唇画像に対して、選択されたアイコンの色と同じ色の画像であって、選択されたアイコンに施されている効果と同じ効果を施した画像になるように画像処理が施され、画像処理を施して得られた唇画像が、編集対象の撮影画像における利用者の唇の部分に重畳させる処理が行われる。
【発明の効果】
【００２９】
本発明によれば、多様化する利用者のニーズに応えるような化粧を施すための編集機能を提供することができる。
【図面の簡単な説明】
【００３０】
【図１】本発明の一実施の形態に係る写真シール作成装置の外観の構成例を示す斜視図である。
【図２】写真シール作成装置の外観を他の角度からみた斜視図である。
【図３】利用者の移動について説明する図である。
【図４】撮影部の構成例を示す図である。
【図５】背景部の構成例を示す図である。
【図６】編集部の構成例を示す図である。
【図７】事後接客部の構成例を示す図である。
【図８】写真シール作成装置の内部の構成例を示すブロック図である。
【図９】制御部の詳細な構成例を示す機能ブロック図である。
【図１０】図９の編集部の詳細な構成例を示すブロック図である。
【図１１】写真シール作成ゲーム処理の流れの例を説明するフローチャートである。
【図１２】図１１の編集処理で表示される編集画面の一部の例を示す図である。
【図１３】図１１の編集処理で表示される編集画面の一部の別の例を示す図である。
【図１４】唇の部分のつやを強調させる方式について説明する図である。
【図１５】唇の部分をキラキラさせる方式について説明する
【図１６】リップメイク処理の例を説明するフローチャートである。
【発明を実施するための形態】
【００３１】
以下、本発明を適用した具体的な実施の形態について、図面を参照しながら詳細に説明する。
【００３２】
図１は、写真シール作成装置１の外観の構成例を示す斜視図である。
【００３３】
写真シール作成装置１は、撮影や編集等の作業を利用者にゲームとして行わせ、撮影画像や編集済み画像を提供する代わりに利用者より代金を受け取るゲーム機である。写真シール作成装置１はゲームセンタなどの店舗に設置される。利用者は１人であることもあるが、主に２人または３人等の複数人である。
【００３４】
写真シール作成装置１が提供するゲームで遊ぶ利用者は、代金を投入し、自身が被写体となって撮影を行い、撮影によって得られた撮影画像の中から選択した編集対象の画像に対して、背景や前景の画像となる合成用画像や手書きの線画やスタンプ画像を合成する編集機能を用いて編集を行うことにより、撮影画像を彩り豊かな画像にする。利用者は、編集済みの画像が印刷されたシール紙を受け取って一連のゲームを終了させることになる。
【００３５】
図１に示すように、写真シール作成装置１は、主に、撮影ユニット１１、編集部１２、および事後接客部１３から構成される。撮影ユニット１１と編集部１２が接した状態で設置され、編集部１２と事後接客部１３が接した状態で設置される。
【００３６】
撮影ユニット１１は、撮影部２１と背景部２２から構成される。撮影部２１と背景部２２は所定の距離だけ離れて設置され、撮影部２１と背景部２２の間に形成される空間である撮影空間において撮影処理が行われる。
【００３７】
撮影部２１は撮影処理を利用者に行わせる装置である。撮影部２１は、撮影空間に入り、撮影処理を行っている利用者の正面に位置する。撮影空間を正面に臨む面を構成する撮影部２１の正面パネル４１には、撮影処理時に利用者により用いられるタッチパネルモニタなどが設けられる。撮影空間にいる利用者から見て左側の面を左側面、右側の面を右側面とすると、撮影部２１の左側面が側面パネル４２Ａにより構成され、右側面が側面パネル４２Ｂ（図示せず）により構成される。
【００３８】
側面パネル４２Ａには、複数個のＬＥＤ（Light Emitting Diode）が埋め込まれて構成されるＬＥＤ発光部４２Ｌが設けられている。側面パネル４２Ａの表面には、その全体を覆うように、写真シール作成装置１の製造メーカやその製造メーカと提携している企業の商品やサービス等の広告が印刷された、アクリル板等からなるＰＯＰ広告が装着される。そのＰＯＰ広告においてＬＥＤ発光部４２Ｌに対応する部分には、広告として特にアピールされる情報が印刷され、ＬＥＤ発光部４２Ｌの発光によりその情報が強調される（目立つ）ようになる。ＬＥＤ発光部４２Ｌは、図示せぬ側面パネル４２Ｂにも設けられるようにしてもよいし、側面パネル４２Ａ，側面パネル４２Ｂのいずれか一方のみに設けられるようにしてもよい。
【００３９】
背景部２２は、正面を向いて撮影処理を行っている利用者の背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図示せず）から構成される。
【００４０】
撮影部２１の左側面を構成する側面パネル４２Ａと背景部２２の側面パネル５２Ａは、ほぼ同一平面に設けられ、それぞれの上部が板状の部材である連結部２３Ａによって、それぞれの下部が、例えば金属製の略コの字型の部材である連結部２３Ａ’によって連結される。また、図示されないが、撮影部２１の右側面を構成する側面パネル４２Ｂと背景部２２の側面パネル５２Ｂは、ほぼ同一平面に設けられ、それぞれの上部が板状の部材である連結部２３Ｂによって、それぞれの下部が、例えば金属製の略コの字型の部材である連結部２３Ｂ’によって連結される。
【００４１】
撮影部２１の側面パネル４２Ａ、連結部２３Ａ、および背景部２２の側面パネル５２Ａに囲まれることによって形成される開口が撮影空間の出入り口Ｇ１となる。図示されないが、撮影部２１の側面パネル４２Ｂ、連結部２３Ｂ、および背景部２２の側面パネル５２Ｂに囲まれることによって形成される開口も撮影空間の出入り口Ｇ２となる。
【００４２】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用される巻き取り式の背景カーテンが複数収納される。背景カーテンユニット２５は、撮影部２１に設けられたカメラ等による撮影と連動して動作し、撮影の際に、例えば利用者により選択された色のカーテンを下ろし、その他のカーテンを巻き取る。
【００４３】
なお、背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けるとともに、合成用の背景画像を複数種類用意し、撮影処理や編集処理において、利用者が所望する背景画像をカーテンの部分に合成することができるようにしてもよい。
【００４４】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００４５】
編集部１２は、撮影処理によって得られた画像を編集する処理である編集処理を利用者に行わせる装置である。編集部１２は、一方の側面が撮影部２１の正面パネル４１の背面に接するように撮影ユニット１１に連結して設けられる。編集部１２には、編集処理時に利用者により用いられるタブレット内蔵モニタなどの構成が設けられる。
【００４６】
図１に示す編集部１２の構成を正面側の構成とすると、２組の利用者が同時に編集処理を行うことができるように、編集部１２の正面側と背面側には編集処理に用いられる構成がそれぞれ設けられる。
【００４７】
編集部１２の正面側は、床面に対して垂直な面であり、側面パネル４２Ａとほぼ平行な面である面７１と、面７１の上方に形成された斜面７２から構成され、編集処理に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図２）が設けられる。
【００４８】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００４９】
カーテンレール２６には、編集部１２の正面前方の空間と背面前方の空間の内部が外から見えないようにカーテンが取り付けられる。カーテンレール２６に取り付けられたカーテンにより囲まれる編集部１２の正面前方の空間と背面前方の空間が、利用者が編集処理を行う編集空間となる。
【００５０】
図２は、写真シール作成装置１を別の角度から見た斜視図である。
【００５１】
事後接客部１３は事後接客処理を利用者に行わせる装置である。事後接客処理には、撮影画像や編集済みの画像を携帯電話機などの携帯端末に送信する処理、ミニゲームを利用者に行わせる処理、アンケートに答えさせる処理などが含まれる。
【００５２】
図２に示すように、事後接客部１３は、所定の厚さを有する板状の筐体を有しており、編集部１２の左側面に接合されて設けられる。事後接客部１３の正面には、事後接客処理時に利用者により用いられるタブレット内蔵モニタや、撮影画像や編集済みの画像が印刷されたシール紙が排出される排出口などが設けられる。事後接客部１３の正面前方の空間が、シール紙への印刷が終わるのを待っている利用者が事後接客処理を行う事後接客空間となる。
【００５３】
ここで、写真シール作成ゲームの流れと、それに伴う利用者の移動について図３を参照して説明する。図３は、写真シール作成装置１を上から見た平面図である。
【００５４】
写真シール作成装置１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタなど利用して撮影処理を行う。
【００５５】
撮影処理を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００５６】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動した利用者は編集処理を開始する。編集空間Ａ２−１の利用者と、編集空間Ａ２−２の利用者は同時に編集処理を行うことができる。
【００５７】
編集処理が終了した後、撮影画像や編集済みの画像の中から選択された画像の印刷が開始される。画像の印刷中、編集処理を終えた利用者は、編集空間Ａ２−１で編集処理を行っていた場合には白抜き矢印＃５で示すように編集空間Ａ２−１から事後接客空間Ａ３に移動して事後接客処理を行う。また、編集処理を終えた利用者は、編集空間Ａ２−２で編集処理を行っていた場合には白抜き矢印＃６で示すように編集空間Ａ２−２から事後接客空間Ａ３に移動し、事後接客空間Ａ３において事後接客処理を行う。
【００５８】
画像の印刷が終了したとき、利用者は、事後接客部１３に設けられた排出口からシール紙を受け取り、一連の写真シール作成ゲームを終えることになる。
【００５９】
次に、写真シール作成装置１を構成する各部の構成について説明する。
【００６０】
図４は、撮影部２１の正面の構成例を示す図である。撮影部２１は、正面パネル４１、側面パネル４２Ａ、および側面パネル４２Ｂが、箱状の形状を有するベース部４３に取り付けられることによって構成される。
【００６１】
正面パネル４１は撮影空間Ａ１で撮影処理を行う利用者の正面に位置し、側面パネル４２Ａと側面パネル４２Ｂは、それぞれ、撮影空間Ａ１で撮影処理を行う利用者の左側、右側に位置する。
【００６２】
正面パネル４１の中央から上側には撮影・表示ユニット８１が設けられる。撮影・表示ユニット８１は、カメラ９１、タッチパネルモニタ９２、および正面ストロボ９３から構成される。
【００６３】
カメラ９１は、レンズやＣＣＤ(Charge Coupled Device)などの撮像素子により構成され、撮影空間Ａ１にいる利用者を撮影する。カメラ９１により取り込まれた動画像は、タッチパネルモニタ９２にリアルタイムで表示される。利用者により撮影が指示されたときなどの所定のタイミングでカメラ９１により取り込まれた画像は撮影画像（静止画像）として保存される。
【００６４】
また、カメラ９１は、従来の写真シール作成装置と比較してより高い位置に設置されている。具体的には、写真シール作成装置１の設置面からカメラ９１のレンズ中心までの高さは１６３０ｍｍ、レンズの光軸と水平面とのなす角度（前傾角度）は２４°とされる。このような構造により、利用者は前方斜め上から撮影されるようになる。結果として、撮影画像において、利用者はやや上を見上げた状態となり、利用者の目が大きく、かつ顔が小顔に写るようになる。
【００６５】
カメラ９１の下側に設けられたタッチパネルモニタ９２は、ＬＣＤ(Liquid Crystal Display)などのモニタと、それに積層されたタッチパネルにより構成される。タッチパネルモニタ９２は、カメラ９１により取り込まれた動画像を表示するライブビューモニタとしての機能と、各種のＧＵＩ(Graphical User Interface)画像を表示し、利用者の選択操作をタッチパネルにより受け付ける機能とを備えている。タッチパネルモニタ９２には、適宜、撮影結果としての静止画像や、背景等の画像が合成された後の動画像が表示される。
【００６６】
カメラ９１の上側および左右を囲むように発光面（複数枚の乳白アクリル板）が設けられた正面ストロボ９３は、他のストロボと同様にカメラ９１による撮影に合わせて発光し、被写体としての利用者の顔付近を正面から照射する。
【００６７】
正面パネル４１には、撮影・表示ユニット８１の上方に上ストロボ８２が設置される。上ストロボ８２は、利用者を上前方から照射する。
【００６８】
ベース部４３には利用者の足元を照射する足元ストロボ８３も設けられる。上ストロボ８２および足元ストロボ８３の内部には蛍光灯が設けられており、天井ストロボユニット２４を構成するストロボの内部の蛍光灯と合わせて、撮影空間Ａ１内の照明として用いられる。各蛍光灯の発光量が調整されることによって、または、発光させる蛍光灯の数が調整されることによって、撮影空間Ａ１内の明るさが、利用者が行っている撮影処理の内容に応じて適宜調整される。
【００６９】
足元ストロボ８３の右側には、利用者がお金を投入する硬貨投入返却口８４が設けられる。
【００７０】
ベース部４３の上面の左右に形成されるスペース４３Ａおよび４３Ｂは、撮影処理を行う利用者が手荷物等を置くための荷物置き場として用いられる。正面パネル４１の例えば天井付近には、撮影処理の案内音声、ＢＧＭ(Back Ground Music)、効果音等の音を出力するスピーカも設けられる。
【００７１】
図５は、背景部２２の撮影空間Ａ１側の構成例を示す図である。
【００７２】
上述したように、背面パネル５１の上方には背景カーテンユニット２５が設けられる。背景カーテンユニット２５のほぼ中央には、撮影空間Ａ１内で撮影処理を行っている利用者を後方中央から照射する背面中央ストロボ１０１が取り付けられる。
【００７３】
背面パネル５１の、出入り口Ｇ１側の位置には、撮影空間Ａ１内で撮影処理を行っている利用者を左後方から照射する背面左ストロボ１０２が取り付けられる。また、背面パネル５１の、出入り口Ｇ２側の位置には、撮影空間Ａ１内で撮影処理を行っている利用者を右後方から照射する背面右ストロボ１０３が取り付けられる。
【００７４】
図６は、編集部１２の正面側（編集空間Ａ２−１側）の構成例を示す図である。
【００７５】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００７６】
タブレット内蔵モニタ１３１は、タッチペン１３２Ａまたは１３２Ｂを用いて操作入力が可能なタブレットがＬＣＤなどのモニタに重畳して設けられることによって構成される。タブレット内蔵モニタ１３１には、例えば、編集対象画像として選択された撮影画像の編集に用いられる画面である編集画面が表示される。２人で同時に編集作業を行う場合、タッチペン１３２Ａは一方の利用者により用いられ、タッチペン１３２Ｂは他方の利用者により用いられる。
【００７７】
編集部１２の左側には事後接客部１３が設けられる。
【００７８】
図７は、事後接客部１３の正面側の構成例を示す図である。
【００７９】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがＬＣＤなどのモニタに重畳して設けられることによって構成される。タブレット内蔵モニタ１６１には、ミニゲームなどの事後接客処理に用いられる画面が表示される。
【００８０】
タブレット内蔵モニタ１６１の下にはシール紙排出口１６３が設けられ、タブレット内蔵モニタ１６１の上にはスピーカ１６４が設けられる。
【００８１】
シール紙排出口１６３には、編集空間Ａ２−１の利用者が編集処理を行うことによって作成した画像が印刷されたシール紙、または、編集空間Ａ２−２の利用者が編集処理を行うことによって作成した画像が印刷されたシール紙が排出される。編集部１２の内部にはプリンタが設けられており、画像の印刷がそのプリンタにより行われる。
【００８２】
スピーカ１６４は、事後接客処理の案内音声、ＢＧＭ、効果音等の音を出力する。
【００８３】
次に、写真シール作成装置１の内部構成について説明する。図８は、写真シール作成装置１の内部の構成例を示すブロック図である。上述した構成と同じ構成には同じ符号を付してある。重複する説明については適宜省略する。
【００８４】
制御部２０１はＣＰＵ(Central Processing Unit)などよりなり、ＲＯＭ(Read Only Memory)２０６や記憶部２０２に記憶されているプログラムを実行し、写真シール作成装置１の全体の動作を制御する。制御部２０１には、記憶部２０２、通信部２０３、ドライブ２０４、ＲＯＭ２０６、ＲＡＭ(Random Access Memory)２０７が接続される。制御部２０１には、撮影部２０８、編集部２０９、および事後接客部２１０の各構成も接続される。
【００８５】
記憶部２０２は、ハードディスクやフラッシュメモリなどの不揮発性の記憶媒体からなり、制御部２０１から供給された各種の設定情報等を記憶する。記憶部２０２に記憶されている情報は制御部２０１により適宜読み出される。
【００８６】
通信部２０３は、インターネットなどのネットワークのインタフェースであり、制御部２０１による制御に従って外部の装置と通信を行う。
【００８７】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【００８８】
ＲＯＭ２０６には、制御部２０１において実行されるプログラムやデータが記憶されている。ＲＡＭ２０７は、制御部２０１が処理するデータやプログラムを一時的に記憶する。
【００８９】
撮影部２０８は、撮影空間Ａ１における撮影処理を行う構成である硬貨処理部２２１、背景制御部２２２、照明装置２２３、カメラ９１、タッチパネルモニタ９２、およびスピーカ２２４から構成される。
【００９０】
硬貨処理部２２１は、硬貨投入返却口８４に対する硬貨の投入を検出する。硬貨処理部２２１は、例えば４００円などの所定の金額分の硬貨が投入されたことを検出した場合、そのことを表す起動信号を制御部２０１に出力する。
【００９１】
背景制御部２２２は、制御部２０１より供給される背景制御信号に従って背景カーテンユニット２５に収納されている背景カーテンの上げ下ろしを行う。背景カーテンの選択が利用者により手動で行われるようにしてもよい。
【００９２】
照明装置２２３は、撮影空間Ａ１内の各ストロボの内部に設けられる蛍光灯であり、制御部２０１より供給される照明制御信号に従って発光する。上述したように、撮影空間Ａ１には、天井ストロボユニット２４のストロボの他に、撮影部２１に設けられる上ストロボ８２、足元ストロボ８３、正面ストロボ９３、背景部２２に設けられる背面中央ストロボ１０１、背面左ストロボ１０２、背面右ストロボ１０３が設けられている。
【００９３】
また、照明装置２２３は、制御部２０１による制御に従って発光量を調整することによって、利用者が行っている撮影作業の段階に応じて撮影空間Ａ１内の明るさを調整する。
【００９４】
カメラ９１は、制御部２０１による制御に従って撮影を行い、撮影によって得られた画像を制御部２０１に出力する。
【００９５】
編集部２０９Ａは、編集空間Ａ２−１における編集処理を行う構成として編集部１２の正面側に設けられるタブレット内蔵モニタ１３１、タッチペン１３２Ａ，１３２Ｂ、およびスピーカ２３１から構成される。編集部２０９Ｂも編集部２０９Ａと同一の構成を有しており、編集空間Ａ２−２における編集処理を行う。
【００９６】
タブレット内蔵モニタ１３１は、制御部２０１による制御に従って編集画面を表示し、編集画面に対する利用者の操作を検出する。利用者の操作の内容を表す信号は制御部２０１に供給され、編集対象の撮影画像の編集が行われる。
【００９７】
事後接客部２１０は、事後接客空間Ａ３における事後接客処理を行う構成であるタブレット内蔵モニタ１６１、タッチペン１６２Ａ，１６２Ｂ、スピーカ１６４、印刷処理を行う構成であるプリンタ２４１、およびシール紙ユニット２４２から構成される。
【００９８】
プリンタ２４１は、撮影画像、または編集処理によって得られた編集済みの画像を、プリンタ２４１に装着されたシール紙ユニット２４２に収納されているシール紙に印刷し、シール紙排出口１６３に排出する。なお、プリンタ２４１は、カラー印刷、単色印刷を行い、その後、ラメ色などの特殊色印刷を行うように構成されてもよい。
【００９９】
次に、制御部２０１について説明する。図９は、制御部２０１がＲＯＭ２０６などに格納されているプログラムを実行することにより実現される機能ブロックの構成例を示している。
【０１００】
制御部２０１は、写真シール作成ゲームを開始する際に投入される代金に関する処理や利用者グループを撮影する等の写真シール作成ゲームの撮影作業の工程に関する処理を行う撮影処理部３０１、撮影画像に対する落書き編集等の写真シール作成ゲームの編集作業の工程に関する処理を行う編集処理部３０２、シール紙の印刷等の写真シール作成ゲームの印刷の工程に関する処理を行う印刷処理部３０３、および、編集作業を終了した利用者グループを接客する写真シール作成ゲームの事後接客の工程に関する処理を行う事後接客処理部３０４を有する。
【０１０１】
つまり、制御部２０１は、写真シール作成ゲームの各工程に関する処理の制御を行う。
【０１０２】
図１０は、図９の編集処理部３０２の詳細な構成例を示すブロック図である。同図に示されるように、編集処理部３０２は、部分画像認識部３２１、唇マスク画像生成部３２２、唇画像生成部３２３、唇画像変更部３２４、記憶部３２５、および、編集制御部３２６を有する構成とされている。
【０１０３】
さらに、部分画像認識部３２１は、編集対象画像の中の利用者の顔の一部分を認識する。部分画像認識部３２１は、例えば、利用者の画像の中の口、目、髪、唇の部分などを認識する。
【０１０４】
部分画像認識部３２１は、例えば、編集対象画像の中の顔画像および顔の向き（方向）を認識する。そして、部分画像認識部３２１は、顔画像の中の所定の部分を認識する。ここで顔の向きは、例えば、２次元のＸＹ方向への動きや傾き、３次元のＸＹＺ軸方向への動きや傾きを意味する。例えば、部分画像認識部３２１は、目の大きさなどを認識するなどして利用者の顔がＸＹ方向、ＸＹＺ方向にそれぞれどれだけ動いているかを認識する。
【０１０５】
例えば、唇の部分を認識する場合、部分画像認識部３２１は、顔画像の中の下側の領域内に存在する所定の色の領域を唇として認識する。
【０１０６】
なお、部分画像認識部３２１は、利用者の顔画像の中の唇全体を認識するようにしてもよいし、利用者の顔画像の中の唇の一部分（例えば、上唇のみ）を認識するようにしてもよい。
【０１０７】
唇マスク画像生成部３２２は、部分画像認識部３２１により認識された唇の部分に対応するマスク画像を生成する。
【０１０８】
唇画像生成部３２３は、唇マスク画像生成部３２３により生成されたマスク画像を用いて利用者の画像の中の唇の部分を抽出した唇画像を生成する。唇画像生成部３２３は、生成した唇画像を、編集対象画像の中の、部分画像認識部３２１により認識された唇の部分に重畳する。
【０１０９】
唇画像生成部３２３はさらに、生成した唇画像の色などを変更するようになされている。これにより、利用者の唇の部分が所定の色に着色された画像、利用者の唇の部分の色のトーンカーブが変更された画像など、所定の画像処理が施された唇画像が生成される。
【０１１０】
唇画像変更部３２４は、例えば、唇画像の一部を消去するなどして唇画像の形状を変更するようになされている。
【０１１１】
例えば、利用者の唇の部分に重畳された唇画像の色が変更されることにより、あたかも利用者が様々な色の口紅を付けているような画像が生成されることになる。また、利用者の唇の部分に重畳された唇画像の形状が変更されることにより、あたかも口紅を塗る部分が変わったような画像が生成されることになる。
【０１１２】
なお、唇画像生成部３２３による処理は、自動的に施されるようにしてもよいし、例えば、タブレット内蔵モニタ１３１に表示された編集画面に対する利用者の操作を検出することにより行われるようにしてもよい。
【０１１３】
記憶部３２５は、唇画像変更部３２４により唇画像の形状が変更された場合、変更後の形状の唇画像を記憶する。
【０１１４】
編集制御部３２６は、編集作業に係るその他の処理を制御するようになされている。
【０１１５】
次に、図１１のフローチャートを参照して、写真シール作成ゲームを提供する写真シール作成装置１の処理について説明する。
【０１１６】
ステップＳ１において、写真シール作成装置１の撮影処理部３０１は、所定の金額分の硬貨が投入されたか否かを硬貨処理部２２１から供給される信号に基づいて判定し、投入されたと判定するまで待機する。
【０１１７】
ステップＳ１において、硬貨が投入されたと判定された場合、ステップＳ２において、撮影処理部３０１は、撮影部２０８を制御し、カメラ９１に取り込まれた被写体の動画像をタッチパネルモニタ９２にライブビュー表示させ、撮影空間Ａ１にいる利用者を被写体として撮影する撮影処理を行う。撮影処理では、利用者の顔または上半身を撮影するアップ撮影が行われるが、利用者の全身を撮影する全身撮影が行われるようにしてもよい。
【０１１８】
ステップＳ３において、撮影処理部３０１は、撮影空間Ａ１にいる利用者に対して、編集空間Ａ２−１または編集空間Ａ２−２への移動を案内する。編集空間Ａ２−１または編集空間Ａ２−２への移動の案内は、撮影部２０８のタッチパネルモニタ９２に画面を表示させることによって、または音声をスピーカ２２４から出力させることによって行われる。
【０１１９】
ステップＳ４において、編集処理部３０２は、編集空間Ａ２−１と編集空間Ａ２−２のうち、撮影処理を終えた利用者の移動先とした方の編集空間に対応する編集部２０９を制御し、編集処理を行う。具体的には、編集処理部３０２は、編集対象画像として選択された撮影画像に合成する合成用画像を利用者に選択させ、選択された合成用画像を撮影画像に合成させ、得られた合成画像に対して、利用者による編集操作に従って編集を行う。
【０１２０】
ステップＳ５において、編集処理部３０２は、編集空間Ａ２−１または編集空間Ａ２−２で編集処理を終えた利用者に対して事後接客空間Ａ３への移動を案内する。事後接客空間Ａ３への移動の案内は、タブレット内蔵モニタ１３１に画面を表示させることによって、または音声をスピーカ２３１から出力させることによって行われる。
【０１２１】
ステップＳ６において、印刷処理部３０３は、利用者により選択された画像をプリンタ２４１に出力してシール紙に印刷させる印刷処理を行う（開始する）。
【０１２２】
また、タブレット内蔵モニタ１６１に表示される、事後接客処理の開始ボタンが選択されると、ステップＳ７において、事後接客処理部３０４は、印刷終了待機中の利用者に対する事後接客処理を行う。具体的には、事後接客処理部３０４は、撮影画像や編集済みの画像を携帯端末に送信する携帯送信ゲーム処理を事後接客処理として行い、携帯端末の電子メールアドレスを直接入力することで画像を携帯端末に送信するか、非接触型ＩＣと通信することで画像を携帯端末に送信するかを利用者に選択させる送信方法の選択画面や、送信する画像の選択画面をタブレット内蔵モニタ１６１に表示させ、利用者による操作に応じて画像を送信する。
【０１２３】
印刷が終了すると、ステップＳ８において、事後接客処理部３０４は、印刷が終了した旨をタブレット内蔵モニタ１６１に表示させ、プリンタ２４１は、画像が印刷されたシール紙をシール紙排出口１６３に排出し、処理を終了させる。
【０１２４】
このようにして、写真シール作成ゲーム処理が実行される。
【０１２５】
上述したステップＳ４で実行される編集処理では、タブレット内蔵モニタ１３１に表示された編集画面が表示され、編集画面のＧＵＩに基づいて、利用者が、タッチペン１３２Ａまたはタッチペン１３２Ｂを用いて操作入力を行うことにより、編集対象画像に対する編集処理が施される。
【０１２６】
このとき、例えば、図１２に示されるようなＧＵＩがタブレット内蔵モニタ１３１に、編集画面の一部として表示される。図１２に示されるＧＵＩ４０１は、例えば、変身パレットと称される。
【０１２７】
この変身パレット（ＧＵＩ）４０１とともに、編集対象画像である利用者の画像が表示される。
【０１２８】
変身パレット４０１の中の領域４２１は、ヘアカラー選択アイコンが表示される領域とされる。この例では、領域４２１に、髪の色がそれぞれ異なるモデルの画像が６枚表示されており、これら６枚の画像のそれぞれがヘアカラー選択アイコンとされる。なお、ここでは、髪の色がそれぞれ異なるモデルの画像が表示される例について説明したが、髪の色がそれぞれ異なる利用者の画像が表示されるようにしてもよい。
【０１２９】
例えば、利用者が、タッチペン１３２Ａまたはタッチペン１３２Ｂによりヘアカラー選択アイコンをタップすることにより、編集対象画像の中の利用者の髪の色が、タップされたヘアカラー選択アイコンのモデルの髪と同じ色に変更される。
【０１３０】
変身パレット４０１の中の領域４２２は、カラコン（カラーコンタクトレンズ）選択アイコンが表示される領域とされる。この例では、領域４２２に、色がそれぞれ異なるカラーコンタクトレンズの画像が４枚表示されており、これら４枚の画像のそれぞれがカラコン選択アイコンとされる。
【０１３１】
例えば、利用者が、タッチペン１３２Ａまたはタッチペン１３２Ｂによりカラコン選択アイコンをタップすることにより、編集対象画像の中の利用者の瞳の色が、タップされたカラコン選択アイコンと同じ色に変更される。
【０１３２】
変身パレット４０１の中の領域４２３は、つけまつげ選択アイコンが表示される領域とされる。この例では、領域４２３に、形がそれぞれ異なるつけまつげの画像が８枚表示されており、これら８枚の画像のそれぞれがつけまつげ選択アイコンとされる。
【０１３３】
例えば、利用者が、タッチペン１３２Ａまたはタッチペン１３２Ｂによりつけまつげ選択アイコンをタップすることにより、編集対象画像の中の利用者の瞼に、タップされたつけまつげ選択アイコンに対応するつけまつげが付加される。例えば、目の大きさ（特にまつ毛のライン）が検知された場合、自動で長さが調整され貼り付けるようにしてもよい。
【０１３４】
変身パレット４０１の中の領域４２４は、リップカラー選択アイコンが表示される領域とされる。この例では、領域４２４に、色がそれぞれ異なる唇の画像が３枚表示されており、これら３枚の画像のそれぞれがリップカラー選択アイコンとされる。
【０１３５】
また、変身パレット４０１には、リップカラー選択アイコンに係る操作を制御するためのボタンとして操作されるリップＯＮアイコン４３１−１およびリップＯＦＦアイコン４３１−２が表示されている。
【０１３６】
例えば、利用者が、タッチペン１３２Ａによりリップカラー選択アイコンをタップして、さらにリップＯＮアイコン４３１−１をタップすることにより、編集対象画像の中の利用者の唇の色が、タップされたリップカラー選択アイコンと同じ色に変更される。
【０１３７】
このとき、部分画像認識部３２１が、編集対象画像の中の顔画像および顔の向き（方向）を認識し、顔画像の中の唇の部分を認識する。そして、唇画像生成部３２３が、部分画像認識部３２１により認識された唇の部分に対応する唇画像を生成し、生成した唇画像を、編集対象画像の中の、部分画像認識部３２１により認識された唇の部分に重畳する。さらに、唇画像生成部３２３が、生成した唇画像の色を変更するなどの各種の画像処理を実行する。
【０１３８】
例えば、リップカラー選択アイコン４２４−１とリップＯＮアイコン４３１−１がタッチペン１３２Ａまたはタッチペン１３２Ｂによりタップされた場合、唇画像の色が濃い赤色に変更される。これにより、あたかも利用者が濃い赤色の口紅を付けているような画像が生成され、タブレット内蔵モニタ１３１の編集画面に表示される。
【０１３９】
例えば、リップカラー選択アイコン４２４−２とリップＯＮアイコン４３１−１がタッチペン１３２Ａまたはタッチペン１３２Ｂによりタップされた場合、唇画像の色が、例えば、濃いピンク色に変更される。これにより、あたかも利用者が濃いピンク色の口紅を付けているような画像が生成され、タブレット内蔵モニタ１３１の編集画面に表示される。
【０１４０】
例えば、リップカラー選択アイコン４２４−３とリップＯＮアイコン４３１−１がタッチペン１３２Ａまたはタッチペン１３２Ｂによりタップされた場合、唇画像の色が薄いピンク色に変更される。これにより、あたかも利用者が薄いピンク色の口紅を付けているような画像が生成され、タブレット内蔵モニタ１３１の編集画面に表示される。
【０１４１】
なお、リップＯＮアイコン４３１−１は設けられないようにし、リップカラー選択アイコン４２４−１乃至リップカラー選択アイコン４２４−３のいずれかがタップされるだけで、唇画像の色が変更されるようにしてもよい。
【０１４２】
さらに、利用者がタッチペン１３２Ａまたはタッチペン１３２Ｂによりリップカラー選択アイコンをタップして、その後、編集対象画像の利用者の画像の中の唇の部分をタップすることで、あたかも利用者が口紅を付けているような画像が生成されるようにしてもよい。すなわち、リップカラー選択アイコンをスタンプ画像のように用いて編集が行われるようにしてもよい。
【０１４３】
なお、上述した口紅の色の変更に係る処理は、唇画像生成部３２３により制御される。
【０１４４】
従来の写真シール機の場合、予め定められた色の口紅が付された唇画像を編集対象画像の唇の部分に貼り付けるか否かを選択できる機能が設けられているのみであった。本発明に係る写真シール作成装置１では、利用者が、複数色の中から自由に口紅の色を選択することができる。
【０１４５】
また、リップＯＦＦアイコン４３１−２がタッチペン１３２Ａまたはタッチペン１３２Ｂによりタップされた場合、利用者の画像の中の唇の部分の色が元の色に変更される。すなわち、リップＯＦＦアイコン４３１−２がタップされると、編集対象画像として表示された利用者の画像において、唇画像が重畳されていない（何ら編集入力が受け付けられていない）状態での唇の色に戻される。
【０１４６】
なお、例えば、リップＯＮアイコン４３１−１およびリップＯＦＦアイコン４３１−２と同様に、ヘアカラー、カラコン、または、つけまつげのそれぞれに対応するＯＮ／ＯＦＦを制御するアイコンが設けられるようにしてもよい。
【０１４７】
このとき、唇画像変更部３２４が、編集対象画像の中の唇の部分に重畳されて表示されていた唇画像を消去する。これにより、唇画像の色は、元の色に戻る。
【０１４８】
なお、上述した唇画像の消去に係る処理は、唇画像変更部３２４により制御される。
【０１４９】
さらに、変身パレット４０１には、リップ消しゴムアイコン４３２が表示されている。リップ消しゴムアイコン４３２は、例えば、利用者の画像の中で唇の部分からはみ出して着色された部分を消去するためのアイコンとされる。
【０１５０】
例えば、部分画像認識部３２１により利用者の画像の中の唇の部分を正確に認識することができなかった場合、唇画像が唇の部分からはみ出すことがある。特に、唇の周囲に炎症がある場合などは、実際の唇より大きい部分が唇の部分として認識されてしまうことがある。
【０１５１】
このように、唇の部分が誤認識されて実際の唇より大きい唇画像が生成された場合、リップＯＮアイコン４３１−１と所定のリップカラー選択アイコンがタップされたとき、あたかも顎や頬にも誤って口紅を塗ったような画像が生成されて表示されることになる。
【０１５２】
このような場合、リップ消しゴムアイコン４３２をタッチペン１３２Ａまたはタッチペン１３２Ｂによりタップすると、タッチペン１３２Ａまたはタッチペン１３２Ｂを消しゴムのように機能させることができる。すなわち、タッチペン１３２Ａまたはタッチペン１３２Ｂのペン先を、利用者の画像の中の唇付近の部分にあてることで、あたかも誤って塗られた口紅をふき取るような編集操作を行うことができる。
【０１５３】
例えば、唇の部分が誤認識されたことにより、利用者の画像の中の顎の一部がリップカラー選択アイコンにより着色されてしまった場合、リップ消しゴムアイコン４３２をタップして、利用者の画像の中の顎の一部をタップすることにより、顎の一部に着色された部分だけを元に戻すことができる。すなわち、唇の部分は着色された状態とし、顎の一部の着色を除去することができる。
【０１５４】
このとき、唇画像変更部３２４が、タッチペン１３２Ａまたはタッチペン１３２Ｂの操作に基づいて、唇画像の形状を変更する。いまの場合、唇画像において、実際の唇の部分からはみ出していた部分（顎の一部）が消去されることにより、唇画像の形状が変更されたことになる。
【０１５５】
なお、リップ消しゴムアイコン４３２の中には、それぞれ径の異なる３つの円４３２ａ乃至４３２ｃのアイコンが表示されている。これらのアイコン４３２ａ乃至アイコン４３２ｃは、タッチペン１３２Ａまたはタッチペン１３２Ｂを消しゴムのように機能させる場合における消しゴムの大きさに対応する。
【０１５６】
すなわち、タッチペン１３２Ａまたはタッチペン１３２Ｂで、アイコン４３２ｃをタップすると、１回の操作で比較的大きい領域の着色を除去することができる。タッチペン１３２Ａまたはタッチペン１３２Ｂで、アイコン４３２ａをタップすると、１回の操作で比較的小さい領域の着色を除去することができる。アイコン４３２ｂをタップすると、１回の操作でこれらの中間の大きさの領域の着色を除去することができる。
【０１５７】
なお、唇画像の一部が消去された場合、唇画像が重畳されている部分と重畳されていない部分の境界が目立ってしまうので、この境界部分にぼかし処理を施すようにしてもよい。なお、ぼかし処理は、唇画像に施されるようにしてもよいし、編集対象画像に施されるようにしてもよい。あるいはまた、唇画像と編集対象画像の両方にぼかし処理が施されるようにしてもよい。
【０１５８】
なお、ここでは、唇の部分が誤認識されて実際の唇より大きい唇画像が生成された場合について説明したが、唇の部分が誤認識されて実際の唇より小さい唇画像が生成されることもある。そのような場合、例えば、タッチペン１３２Ａまたはタッチペン１３２Ｂで、あたかも口紅を塗り足す（リップカラー選択アイコンと同色の着色を施す）ような編集を行うことができるようにしてもよい。
【０１５９】
このとき、やはり唇画像変更部３２４が、タッチペン１３２Ａまたはタッチペン１３２Ｂの操作に基づいて、唇画像の形状を変更する。いまの場合、唇画像において、後から着色された部分が唇画像の一部として追加されることにより、唇画像の形状が変更されたことになる。
【０１６０】
あるいはまた、部分画像認識部３２１により利用者の画像の中の唇の部分を認識する際に、上唇と下唇を別々に認識し、例えば、唇画像生成部３２３が、上唇の唇画像のみを生成するようにしてもよい。この場合、利用者がタッチペン１３２Ａまたはタッチペン１３２Ｂを用いてあたかも下唇の口紅を塗り足すような編集を行うことで、下唇の唇画像が生成されるようにすればよい。
【０１６１】
例えば、利用者の口の周りに吹き出物（ニキビ）がある場合などは、部分画像認識部３２１により利用者の画像の中の唇の部分を認識することが困難である。このため、誤認識されやすい下唇部分は、あえて自動的に唇画像が生成されないようにし、利用者の操作に基づいて唇画像が生成されるようにしてもよい。
【０１６２】
勿論、上述の場合とは逆に、唇画像生成部３２３が、下唇の唇画像のみを生成するようにしてもよい。例えば、被写体となる利用者が男性の場合、上唇の上部が誤認識されやすい。このため、利用者の性別を判別して、上唇または下唇のいずれの唇画像を生成するかが決定されるようにしてもよい。
【０１６３】
また、口紅を拭き取ったり、塗り足したりするように見える画像に係る編集を行うときは、編集画面に表示される編集対象画像において、利用者の唇の部分が拡大されて表示されるようにしてもよい。あるいはまた、変身パレット４０１の中に利用者の画像の中の唇の部分が拡大されて表示されるようにし、この唇の部分において口紅を拭き取ったり、塗り足したりできるようにしてもよい。
【０１６４】
なお、口紅を拭き取ったり、塗り足したりするように見える画像に係る編集によって、唇画像の形状が変更された場合、その唇画像の形状に係る情報が記憶部３２５に記憶されるようにしてもよい。例えば、利用者の唇の範囲を表す範囲情報として唇画像の形状に係る情報が記憶されるようにしてもよい。
【０１６５】
このようにすることで、例えば、他の編集対象画像の利用者の画像の中の唇の部分に重畳する唇画像の形状を、予め変更後の形状としておくことができ、編集作業に要する時間を短縮することができる。すなわち、例えば、利用者が２枚目の編集対象画像の編集を行うときには、１枚目の編集対象画像の編集の際に口紅を拭き取ったり、塗り足したりする編集によって形状が変更された唇画像を利用することができる。つまり、１枚のマスク画像を生成し、修正され変形されたマスク画像を記憶し、その変形されたマスク画像を他の撮影画像に係る編集に用いることができるため、編集時間を短縮することができる。
【０１６６】
さらに、口紅を拭き取ったり、塗り足したりする編集によって、唇画像の形状が変更された場合、その唇画像の形状に係る情報が利用者別に記憶されるようにしてもよい。例えば、利用者Ａ用の唇の範囲を表す範囲情報と、利用者Ｂ用の唇の範囲を表す範囲情報とが別々に記憶されるようにしてもよい。
【０１６７】
なお、上述した唇画像の形状の変更に係る処理は、唇画像変更部３２４により制御される。
【０１６８】
あるいはまた、上述したステップＳ４で実行される編集処理において、図１２の変身パレット４０１に代えて、図１３に示される変身パレット４０５が表示されるようにしてもよい。なお、図１３に示される変身パレット４０５は、図中上側の複数のタブの中で「Ｍａｋｅ  ｕｐ」というタブが選択され、さらに、「リップ」というタブが選択されることにより表示される。
【０１６９】
同図に示される変身パレット４０５は、所定のタブがクリックされることにより、唇の部分の化粧に係るＧＵＩ部品のみが表示されるようになされている。
【０１７０】
変身パレット４０５の中の領域４５１は、細部にわたる化粧処理をするためのボタンが表示される領域とされる。例えば、唇の部分においてつやを強調すること、唇の部分をキラキラさせることなどが特殊効果を得る処理などが細部にわたる化粧処理とされる。領域４５１には、ボタン４５１−１乃至ボタン４５１−３が表示されている。
【０１７１】
ボタン４５１−１は、利用者の画像の中の唇の部分においてつやを強調する処理を施すためのボタンとされる。なお、唇の部分のつやを強調させる方式については後述する。
【０１７２】
ボタン４５１−２は、利用者の画像の中の唇の部分をキラキラさせる処理を施すためのボタンとされる。なお、唇の部分をキラキラさせる方式については後述する。
【０１７３】
ボタン４５１−３は、唇の部分のつやを強調させる効果、唇の部分をキラキラさせる効果を解除する処理を施すためのボタンとされる。
【０１７４】
変身パレット４０５の中の領域４５２は、口紅の色を選択するアイコンが表示される領域とされる。この例では、領域４５２に、アイコン４５２−１乃至アイコン４５２−６が表示されている。
【０１７５】
アイコン４５２−１乃至アイコン４５２−６は、それぞれ色の異なる口紅が塗られた唇の画像とされている。利用者は、例えば、タッチペン１３２Ａまたはタッチペン１３２Ｂにより、アイコン４５２−１乃至アイコン４５２−６のいずれかにタップすることによって、口紅の色を選択することができる。
【０１７６】
なお、上述した口紅の色の選択、つやの強調やキラキラに係る処理は、唇画像生成部３２３により制御される。
【０１７７】
変身パレット４０５の中の領域４５３は、アイコン４５２−１乃至アイコン４５２−６の中から選択された唇の画像と同じつや等の処理を施したモデルの画像が表示される領域とされる。例えば、利用者がタッチペン１３２Ａまたはタッチペン１３２Ｂにより、アイコン４５２−１をタップすると、領域４５３には、アイコン４５２−１の画像を含むモデルの画像が表示される。なお、ここで、モデルの画像が表示されると説明したが、利用者の画像が表示されるようにしてもよいし、イラストが表示されるようにしてもよい。
【０１７８】
そして、利用者がタッチペン１３２Ａまたはタッチペン１３２Ｂにより、ボタン４５１−１をタップすると、領域４５３に表示された唇の画像のつやが強調される。また、利用者がタッチペン１３２Ａまたはタッチペン１３２Ｂにより、ボタン４５１−２をタップすると、領域４５３に表示された唇の画像がキラキラしたものとなる。
【０１７９】
なお、唇の部分のつやを強調させる効果、および、唇の部分をキラキラさせる効果は、いずれも反映されるようにしてもよいし、いずれか１つのみが反映させるようにしてもよい。例えば、ボタン４５１−１がタップされた後、ボタン４５１−２がさらにタップされた場合、領域４５３に表示された唇の画像は、つやが強調され、かつ、キラキラしたものとされてもよいし、つやが強調されずにキラキラしたものとされてもよい。
【０１８０】
さらに、利用者がタッチペン１３２Ａまたはタッチペン１３２Ｂにより、ボタン４５１−３をタップすると、領域４５３に表示された唇の画像において、唇の部分のつやを強調させる効果、および／または、唇の部分をキラキラさせる効果が解除される。
【０１８１】
なお、プリンタ２４１がラメ色などの特殊色印刷を行うことが可能なものである場合、編集された画像が、図１１のステップＳ６の処理で印刷される際に、つやの強調された部分、または、キラキラしている部分が、ラメ色で印刷されるようにしてもよい。このようにすることで、より立体感のある写真シールを作成することが可能となる。
【０１８２】
ここでは、領域４５３に、アイコン４５２−１乃至アイコン４５２−６のうちで選択されたアイコンの画像を含むモデルの画像が表示される例について説明したが、これとは異なるようにされてもよい。例えば、ボタン４５１−１乃至ボタン４５１−３がタップされることにより、アイコン４５２−１乃至アイコン４５２−６の唇の画像のそれぞれが、上述したように変化するようにしてもよい。
【０１８３】
利用者がタッチペン１３２Ａまたはタッチペン１３２Ｂにより、所定の操作を行うことにより、編集対象画像の利用者の画像の中の唇の部分が、アイコン４５２−１乃至アイコン４５２−６のうちで選択されたアイコンに対応する色に変わる。この際、上述したボタン４５１−１乃至ボタン４５１−３の操作に応じて、利用者の唇の部分において、さらに、つやが強調され、および／または、キラキラしたものとされる。
【０１８４】
なお、つやを強調させる処理、キラキラさせる処理の詳細については、後述する。
【０１８５】
例えば、利用者がタッチペン１３２Ａまたはタッチペン１３２Ｂにより、アイコン４５２−１乃至アイコン４５２−６、または、領域４５３の画像をタップすることで、編集対象画像の利用者の画像の中の唇の部分が変更されるようにしてもよいし、編集対象画像の利用者の画像の中の唇の部分をタップすることで、編集対象画像の利用者の画像の中の唇の部分が変更されるようにしてもよい。
【０１８６】
あるいはまた、変身パレット４０５において、領域４５１のボタンが設けられないようにし、領域４５２に、特殊効果のある画像と特殊効果のない画像がそれぞれ表示されるようにしてもよい。
【０１８７】
例えば、口紅の色が赤、ピンク、オレンジの３色から選択可能な場合、それぞれ赤、ピンク、オレンジの口紅が塗られた唇の画像、それぞれ赤、ピンク、オレンジの口紅が塗られた唇においてつやが強調された画像、それぞれ赤、ピンク、オレンジの口紅が塗られた唇をキラキラさせた画像のアイコンが、領域４５２に表示されるようにしてもよい。なお、この場合、領域４５２には、９個（＝３×３）のアイコンが表示されることになる。
【０１８８】
ボタン４５４は、利用者の画像の中の唇の部分を元に戻すためのボタンとされる。例えば、利用者がタッチペン１３２Ａまたはタッチペン１３２Ｂにより、ボタン４５４をタップすると、編集対象画像の利用者の画像の中の唇の部分が元に戻る。すなわち、利用者の画像の中の唇の部分に唇画像が重畳されない状態の画像となる。
【０１８９】
図１２および図１３を参照して上述した唇の部分の変更に係る処理は、編集対象画像の中の全ての利用者の唇の部分に対して一律に施されるようにしてもよいし、利用者毎に別々に施されるようにしてもよい。例えば、同じ編集対象画像の中で、利用者Ａの口紅の色と利用者Ｂの口紅の色が異なったり、つや、キラキラが異なったりするようにしてもよい。
【０１９０】
また、図１２および図１３を参照して上述した例では、利用者が口紅の色を選択するものとして説明したが、例えば、編集対象画像に合成される背景や前景の画像（合成用画像）の色や形に応じて、自動的に口紅の色が選択されるようにしてもよい。
【０１９１】
あるいはまた、編集対象画像に合成される背景や前景の画像の色や形に応じて、選択可能な口紅の色が定まるようにしてもよい。例えば、編集対象画像に黄色の背景が合成される場合、口紅の色が、赤色、ピンク色、または茶色から選択できるようにし、編集対象画像に青色の背景が合成される場合、口紅の色が、赤色、オレンジ色、または紫色から選択できるようにしてもよい。
【０１９２】
このようにすることで、背景や前景にあった利用者の唇画像を生成することができ、または、利用者が通常しない口紅などをつけることなく、非現実的な画像を生成することができる。
【０１９３】
また、図１２および図１３を参照して上述した例では、利用者の操作に基づいて利用者の画像の中の唇の部分が変更される（唇画像が重畳される）ものとして説明したが、例えば、編集画面に編集対象画像が表示されるとき、自動的に利用者の画像の中の唇の部分が変更される（唇画像が重畳される）ようにしてもよい。この場合、編集対象画像の中の全ての利用者の唇の部分が一律に変更されるようにしてもよいし、利用者毎に異なるようにしてもよい。
【０１９４】
例えば、編集作業開始時に利用者毎に名前を入力させ、編集対象画像の中の被写体を利用者毎に判別することができる。そして、利用者毎に画像の中の唇の部分が認識され、利用者の画像の中の唇の部分が変更される。この場合、例えば、図１３の領域４５３に、利用者の画像が表示され、「左の人」用の変身パレット４０５の領域４５３には、「左の人」の画像が表示され、「右の人」用の変身パレット４０５の領域４５３には、「右の人」の画像が表示されるようにしてもよい。
【０１９５】
次に、唇の部分のつやを強調させる方式について説明する。つやを強調させる場合、唇の中央部分を白くする。このようにすることで、利用者の唇が光沢のある美しい唇になる。なお、ここでいう中央部分とは、唇の中で両耳に近い部分（口角部分）を左右の端部とした場合の中央部分を意味しており、概ね鼻の真下となる。
【０１９６】
すなわち、唇のつやを強調する場合、利用者の唇の部分に重畳される唇画像の中央部分を白くする。あるいはまた、利用者の唇の部分に重畳される唇画像の左右の端部（口角部分）から中央に向けて徐々に白色に近くなるようにしてもよいし、唇の上下の輪郭部分から中央に向けて徐々に白色に近くなるようにしてもよい。すなわち、口角部分から中央に向けて白に近づくグラデーション、または、唇の上下の輪郭から中央に向けて白に近づくグラデーションの画像が生成されるようにしてもよい。
【０１９７】
ここでは、唇のつやを強調する場合、中央部分を白色にするものとして説明したが、例えば、白色以外の所定の明度以上の色（薄いピンク色などの淡い色）としても唇のつやを強調することができる。
【０１９８】
また、ここでは、唇の部分のつやを強調するためのグラデーションの画像が生成される例について説明したが、つやを強調するものでなくとも、口角部分から中央に向けて徐々に色が変化するグラデーション画像が生成されるようにしてもよい。また、どのようなグラデーション画像を生成するかを利用者が選択できるようにしてもよい。
【０１９９】
あるいはまた、利用者の唇の中央部分に、マスク画像をさらに重畳するようにしてもよい。
【０２００】
例えば、唇画像生成部３２３が、図１４に示されるように、利用者の唇画像５０１の中央部分の領域が抽出された画像として、上唇画像５１１と下唇画像５１２を生成する。なお、上唇画像５１１と下唇画像５１２は、例えば、部分画像認識部３２１が、利用者の画像の中の唇の部分を認識して唇の中心線５１０を検出するようにし、中心線５１０を中心とする所定の範囲のほぼ台形型の形状として生成されるようにすればよい。
【０２０１】
上唇画像５１１が重畳された画像と下唇画像５１２が重畳された画像は、つやを強調するような色（例えば、白色や淡い色）に変更される。また、例えば、図１４の右側に示されるように、上唇画像５１１または下唇画像５１２に係る画像は、位置によって色が異なる画像とされるようにしてもよい。図１４の右側には、下唇画像５１２を拡大した画像が示されている。同図は、白黒で示されているが、図中で色が黒くなるほど着色が施されないものとし、図中の白色の部分において着色が施される。
【０２０２】
このように、唇の中央の一部のみに対応する上唇画像５１１と下唇画像５１２が生成され、それらのマスク画像に係る画像において、左右の端部が透明で、中央に向けて徐々に白色に近くなるようにしてもよい。このようにすることで、利用者の唇の立体感を演出することができる。
【０２０３】
ここでは、つやを強調するために中央部分を白くすると説明したが、白に限られるものではなく、例えば、中央部分を所定の明度を超えるような淡い色にすれば、やはり唇のつやを強調することができる。
【０２０４】
あるいはまた、つやを強調させる処理として、例えば、唇の部分に明度の異なる画素をランダムに散らす処理が実行されるようにしてもよい。この際、例えば、中央部分は、ランダムに散らす画素の密度を高くするなど、唇の中の領域に応じてランダムに散らす画素の密度が異なるようにすればよい。
【０２０５】
次に、唇の部分をキラキラさせる方式について説明する。唇の部分をキラキラさせる場合、例えば、唇の画像の中に白色、または、灰色の細かい複数の点（ドット）を付加する。このようにすることで、利用者の唇がみずみずしく光る美しい唇になる。なお、ドットの色は、上述の例に限られるものではなく、薄いピンクやオレンジなどの淡い色としてもよい。
【０２０６】
すなわち、唇をキラキラさせる場合、唇画像にドットを付加する。あるいはまた、利用者の唇の部分に、ドットのマスク画像をさらに重畳するようにしてもよい。
【０２０７】
例えば、唇画像生成部３２３が、図１５に示されるように、利用者の唇画像５０１の唇画像として、上唇用の唇画像５２１と下唇用の唇画像５２２を生成する。図１５の例では、複数の黒色の細かい点としてドットが表現されているが、実際には、白色、または、灰色などの点とされる。また、図中白色で表示されている部分は、実際には、透明、または、口紅の色とされる。
【０２０８】
なお、白色、または、灰色などの複数の色の点が組み合わされたドットが付加されるようにしてもよい。
【０２０９】
また、図１５の例では、上唇用の唇画像５２１に係る画像はドットの密度が低く、下唇用の唇画像５２２に係る画像はドットの密度が高くされている。すなわち、唇画像５２１に係る画像は、単位面積当たりの点の数が少なく、唇画像５２２に係る画像は、単位面積当たりの点の数が多い。
【０２１０】
このように、例えば、上唇用の唇画像５２１と下唇用の唇画像５２２とでドットの密度を変えることにより、利用者の唇の立体感を演出することができる。
【０２１１】
さらに、上唇用の唇画像５２１と下唇用の唇画像５２２において、例えば、左右の端部のドットの密度が低く、中央に向けて徐々に密度が高くなるようにしてもよい。
【０２１２】
あるいはまた、唇の部分をキラキラさせる処理として、例えば、唇の部分に明度の異なる画素をランダムに散らす処理が実行されるようにしてもよい。この際、例えば、上唇、下唇など、唇の中の領域に応じてランダムに散らす画素の密度が異なるようにしてもよい。
【０２１３】
次に、図１６のフローチャートを参照して、図１１のステップＳ４の編集処理の一部として実行されるリップメイク処理の例について説明する。この処理は、例えば、編集画面において、図１２の変身パレット４０１、または、図１３の変身パレット４０５が表示されたとき実行される。
【０２１４】
ステップＳ２１において、部分画像認識部３２１は、編集対象画像の利用者の画像の中の唇の部分を認識する。
【０２１５】
ステップＳ２２において、唇画像生成部３２３は、唇画像を生成する。唇画像生成部３２３は、生成した唇画像を、編集対象画像の中の、部分画像認識部３２１により認識された唇の部分に重畳する。
【０２１６】
ステップＳ２３において、唇画像生成部３２３は、口紅の色が選択されたか否かを判定する。例えば、図１２のリップカラー選択アイコン４２４−１乃至リップカラー選択アイコン４２４−３のいずれかが選択された場合、または、図１３のアイコン４５２−１乃至アイコン４５２−６のいずれかが選択された場合、口紅の色が選択されたと判定される。
【０２１７】
ステップＳ２３において、口紅の色が選択されたと判定された場合、処理は、ステップＳ２４に進む。
【０２１８】
ステップＳ２４において、唇画像生成部３２３は、ステップＳ２２の処理で生成された唇画像の色を、ステップＳ２３の処理で選択された色に変更する。
【０２１９】
ステップＳ２５において、唇画像生成部３２３は、唇の部分のつやの強調が選択されたか否かを判定する。例えば、図１３のボタン４５１−１が押下された場合、唇の部分のつやの強調が選択されたと判定される。
【０２２０】
ステップＳ２５において、唇の部分のつやの強調が選択されたと判定されたと判定された場合、処理は、ステップＳ２６に進む。
【０２２１】
ステップＳ２６において、唇画像生成部３２３は、ステップＳ２２の処理で生成された唇画像の中央部分を白色などの淡い色にする。または、図１４を参照して上述したように、上唇画像５１１または下唇画像５１２が新たに生成されて重畳されるようにしてもよい。
【０２２２】
ステップＳ２７において、唇画像生成部３２３は、唇の部分をキラキラさせることが選択されたか否かを判定する。例えば、図１３のボタン４５１−２が押下された場合、唇の部分をキラキラさせることが選択されたと判定される。
【０２２３】
ステップＳ２７において、唇の部分をキラキラさせることが選択されたと判定された場合、処理は、ステップＳ２８に進む。
【０２２４】
ステップＳ２８において、唇画像生成部３２３は、ステップＳ２２の処理で生成された唇画像にドットを付加する。例えば、図１５を参照して上述したように、ドットが付加される。
【０２２５】
なお、例えば、図１３のボタン４５１−３が押下された場合、ステップＳ２６またはステップＳ２８で施された処理が解除される。
【０２２６】
ステップＳ２９において、唇画像変更部３２４は、口紅の拭き取り、または、口紅の塗り足しがあったか否かを判定する。例えば、図１２のリップ消しゴムアイコン４３２を使った操作が行われた場合、口紅の拭き取りがあったと判定される。また、例えば、利用者の画像の中の唇の部分にリップカラー選択アイコンと同色の着色がなされた場合、口紅の塗り足しがあったと判定される。
【０２２７】
ステップＳ２９において、唇画像変更部３２４は、口紅の拭き取り、または、口紅の塗り足しに応じて、唇画像の形状を変更する。また、変更後の唇画像の形状が記憶される。
【０２２８】
ここで記憶された唇画像は、他の撮影画像（編集対象画像）の編集にも用いられる。
【０２２９】
なお、例えば、図１２のリップＯＦＦアイコン４３１−２、または、図１３のボタン４５４が押下された場合、唇画像が消去され、利用者の画像の中の唇の部分が、何ら編集入力が受け付けられていない状態に戻される。
【０２３０】
このようにして、リップメイク処理が実行される。
【０２３１】
このようにすることで、例えば、実際には、することができない派手な化粧を施した利用者の画像を生成することができる。これにより、例えば、主たる利用者として想定する女子高校生などの間で流行しているファッション雑誌に掲載されているモデルの化粧などと同様の化粧を、利用者に体感させることができる。
【０２３２】
なお、ここで示したのは、処理の一例であり、記載の通りの順序で各ステップの処理が実行されるものに限られるものではない。
【０２３３】
以上においては、部分画像認識部３２１により、利用者の画像の中の唇の部分が認識されて唇画像が生成される場合の例について説明した。しかし、例えば、部分画像認識部３２１により、利用者の画像の中の目の部分が認識されて認識された領域が抽出された目画像が生成され、色の変更や光沢の強調などに係る処理が施されるようにしてもよい。
【０２３４】
例えば、図１３を参照して上述した例では、領域４５２に唇（口紅の色）のアイコンが表示されるものとしたが、領域４５２にカラコンのアイコンが表示されるようにしてもよい。そして、選択されたカラコンの色に応じて利用者の瞳の色が変更され、さらに、瞳のつやが強調されたり、瞳がキラキラするようになされたりしてもよい。そして、プリンタ２４１がラメ色などの特殊色印刷を行うことが可能なものである場合、編集された画像が、図１１のステップＳ６の処理で印刷される際に、キラキラしている部分が、ラメ色で印刷されるようにしてもよい。
【０２３５】
ところで、上述した一連の処理は、ハードウェアにより実行させることもできるし、ソフトウェアにより実行させることもできる。上述した一連の処理をソフトウェアにより実行させる場合には、そのソフトウェアを構成するプログラムが、ネットワークや記録媒体からインストールされる。
【０２３６】
この記録媒体は、例えば、図８に示されるように、装置本体とは別に、写真シール作成装置１の管理者にプログラムを配信するために配布される、プログラムが記録されている磁気ディスク（フレキシブルディスクを含む）、光ディスク（CD-ＲＯＭおよびDVDを含む）、光磁気ディスク（MDを含む）、もしくは半導体メモリなどよりなるリムーバブルメディア２０５により構成されるだけでなく、装置本体に予め組み込まれた状態で管理者に配信される、プログラムが記録されているＲＯＭ２０６や、記憶部２０２に含まれるハードディスクなどで構成される。
【０２３７】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２３８】
以上において、印刷媒体は、シール紙や写真紙に限られるものではなく、例えば、所定のサイズの紙やフィルム、ポスター用の紙、テレホンカードなどのカード、あるいは、Ｔシャツなどの布地などに印刷するようにしてもよい。
【０２３９】
また、本発明の実施の形態は、上述した実施の形態に限定されるものではなく、本発明の要旨を逸脱しない範囲において種々の変更が可能である。
【符号の説明】
【０２４０】
１  写真シール作成装置
１１  撮影ユニット
１２  編集部
１３  事後接客部
２０１  制御部
２０８  撮影部
２０９  編集部
２１０  事後接客部
３０１  撮影処理部
３０２  編集処理部
３０３  印刷処理部
３０４  事後接客処理部
３２１  部分画像認識部
３２２  唇マスク画像生成部
３２３  唇画像生成部
３２４  唇画像変更部
３２５  記憶部
３２６  編集制御部
【図１】
0005549727.tif 000002
【図２】
0005549727.tif 000003
【図３】
0005549727.tif 000004
【図４】
0005549727.tif 000005
【図５】
0005549727.tif 000006
【図６】
0005549727.tif 000007
【図７】
0005549727.tif 000008
【図８】
0005549727.tif 000009
【図９】
0005549727.tif 000010
【図１０】
0005549727.tif 000011
【図１１】
0005549727.tif 000012
【図１２】
0005549727.tif 000013
【図１３】
0005549727.tif 000014
【図１４】
0005549727.tif 000015
【図１５】
0005549727.tif 000016
【図１６】
0005549727.tif 000017